(57)【要約】【課題】通気性能を落とすことなく高い防塵性能が得られるフィルタ付換気装置を提供すること。【解決手段】フィルタ付換気装置１０は、フィルタ３０の周縁部を囲むように防塵性の高いパッキン部材３１、３２が配置されている。パッキン部材３１、３２は、フィルタ３０よりも防塵性および非浸水性が高い弾性素材から形成され、ケース部４０に密着させた状態でフィルタ３０が保持される。これにより、フィルタを変えなくても高い防塵性能が得られる。また、パッキン部材３２の下枠部を幅狭に形成し、フィルタ３０の通気領域の一部まで延びる止水部３３を設ける。これによりパッキン部材３２の幅狭部前の間隙にフィルタ３０が含んだ水を流すことができ、水捌け性を得ている。【選択図】図３
2017166707.tif 000002
【特許請求の範囲】
【請求項１】
フィルタの周縁部を囲むように当該フィルタよりも防塵性を有するパッキン部材を配置してケース部に保持したことを特徴とするフィルタ付換気装置。
【請求項２】
前記パッキン部材は前記フィルタよりも透水性が小さいことを特徴とする、請求項１に記載のフィルタ付換気装置。
【請求項３】
前記フィルタは垂直に立てた状態で前記ケース部に保持され、前記パッキン部材のうち少なくとも下枠部に、前記フィルタの通気領域の一部まで延びる止水部を形成したことを特徴とする、請求項２に記載のフィルタ付換気装置。
【請求項４】
前記パッキン部材の少なくとも前記下枠部を、前記フィルタの厚さよりも薄く形成したことを特徴とする、請求項３に記載のフィルタ付換気装置。
【請求項５】
ルーバ部の一部をパッキン部材に押し付けて、前記フィルタを固定していることを特徴とする、請求項１〜４の何れかに記載のフィルタ付換気装置。
【請求項６】
フィルタの周縁部を囲むように当該フィルタよりも防塵性を有するパッキン部材を配置したフィルタ。
【発明の詳細な説明】
【技術分野】
【０００１】
本発明は、電気機器収納箱等に外付けされるフィルタ付換気装置に関する。
【背景技術】
【０００２】
従来、屋外に設置される電気機器収納箱においては、筐体に設けられる換気口の防塵および防水性能を確保したフィルタ付換気装置が備えられている（例えば特許文献１参照）。特許文献１の換気装置は、メンテナンス時にフィルタを交換可能にするために、電気機器収納箱の内側および外側の双方からフィルタを着脱可能とするための開口部を、フィルタ収納部となるケース部に形成している。
【０００３】
このような換気装置では、最外部のルーバの内側に設けたフィルタにより、ルーバの隙間を通り抜けた塵等の侵入を防いでいるが、更に劣悪な環境下にあっては更なる防塵性能が求められている。
【先行技術文献】
【特許文献】
【０００４】
【特許文献１】特開２０１４−１１４９８０号公報
【発明の概要】
【発明が解決しようとする課題】
【０００５】
しかし、フィルタの高い防塵性能を確保するため、通気率を抑えたフィルタ素材を用いる場合であっても、フィルタとケース部間に隙間が生じ、その隙間から粉塵が侵入する問題点があった。
【０００６】
本発明は、このような従来の問題を解決するため、フィルタをケース部に密着させて高い防塵性能を確保することができるフィルタ付換気装置を提供することを目的としている。
【課題を解決するための手段】
【０００７】
上記課題を解決するため、本発明は、フィルタの周縁部を囲むように当該フィルタよりも防塵性を有するパッキン部材を配置してケース部に保持したことを特徴とするフィルタ付換気装置である。
【０００８】
この構成のフィルタ付換気装置によれば、パッキン部材をケース部に密着させた状態でフィルタを保持でき、フフィルタとケース部の隙間を無くすことで高い防塵性能を得ることができる。
【０００９】
上記構成のフィルタ付換気装置において、前記パッキン部材は前記フィルタよりも透水性が小さいことが好ましい。
【００１０】
この構成によれば、透水性が小さいパッキン部材により筐体内への水の浸入を効果的に防止するとともに、ルーバを伝わる雨水の侵入を防止することができる。
【００１１】
また、フィルタ付換気装置において、前記フィルタは垂直に立てた状態で前記ケース部に保持され、前記パッキン部材のうち少なくとも下枠部に、前記フィルタの通気領域の一部まで延びる止水部を形成することが好ましい。
【００１２】
この構成によれば、フィルタ内を自重で下方に流れる水が止水部で堰き止められるので、ケース部開口を通って筐体内部への水が浸入するのを防ぐことができる。
【００１３】
また、フィルタ付換気装置において、前記パッキン部材の少なくとも前記下枠部を、前記フィルタの厚さよりも薄く形成することが好ましい。
【００１４】
この構成によれば、パッキン部材の下枠部に間隙が生じ、その間隙にフィルタに含んだ水を流すことができる。これによりフィルタの水捌け性を得ることができる。
【００１５】
また、フィルタ付換気装置において、ルーバ部の一部をパッキン部材に押し付けて、前記フィルタを固定していることが好ましい。
【００１６】
この構成によれば、弾力性のあるパッキン部材がルーバ部に当接することで、防塵防水性を維持しつつ、フィルタに触れないためフィルタの変形やつぶれ等を防止することができる。
【００１７】
また、本発明は、フィルタの周縁部を囲むように当該フィルタよりも防塵性を有するパッキン部材を配置したフィルタである。
【００１８】
この構成のフィルタによれば、パッキン部材によりケース部に密着させて高い防塵性能を得ることができる。
【発明の効果】
【００１９】
本発明によれば、パッキン部材をケース部に密着させた状態でフィルタを保持でき、通気性能（換気効率）を落とすことなく、フィルタをルーバに密着させて高い防塵性能を確保することができる。
【図面の簡単な説明】
【００２０】
【図１】フィルタ付換気装置を前上方から見た斜視図である。
【図２】フィルタ付換気装置を後上方から見た斜視図である。
【図３】フィルタ付換気装置の分解斜視図である。
【図４】フィルタ付換気装置の縦断面図である。
【図５】（ａ）はフィルタの斜視図であり、（ｂ）はその縦断面図である。
【発明を実施するための形態】
【００２１】
本発明の第１の実施形態に係るフィルタ付換気装置１０を説明する。図１はフィルタ付換気装置１０を前上方から見た斜視図である。図２はフィルタ付換気装置１０を後上方から見た斜視図である。図３はフィルタ付換気装置１０の分解斜視図である。図４はフィルタ付換気装置１０の縦断面図である。
【００２２】
フィルタ付換気装置１０は、電気機器収納箱の換気口を介して風雨や埃が直接吹き込まないようにするために、電気機器収納箱の筐体（図示略）に外付けされる装置である。特に図３に示すように、フィルタ付換気装置１０は、外側（前方側）から内側（筐体側）にかけて順に、ルーバ部２０、フィルタ３０、ケース部４０、リテイナー５０を備え組み立てられる。
【００２３】
ルーバ部２０は、外ルーバカバー２１と内ルーバカバー２２とが互いに対向し、外ルーバ２１ａ、２１ａ、・・・と内ルーバ２２ａ、２２ａ、・・・とが互い違いに配置される。ただし、本発明は、風雨が直接吹き込まないようにするものであれば、必ずしも本実施形態のように外ルーバカバー２１と内ルーバカバー２２を備えるものに限定されず、例えば外ルーバカバー２１のみを採用するものでもよい。
【００２４】
図４の断面図に示すように、外ルーバカバー２１は、水平に長い複数の外ルーバ２１ａ、２１ａ、・・・が配列して形成される。外ルーバ２１ａ、２１ａ、・・・により内部の通気口２３、２３、・・・が覆われるとともに、通気口２３、２３、・・・と下開口２１ｂ、２１ｂ、・・・との間で外側下方に向かう湾曲した通気路が形成されている。
【００２５】
内ルーバカバー２２も、水平に長い内ルーバ２２ａ、２２ａ、・・・が複数形成され、内部の通気口２３、２３、・・・と下開口２２ｂ、２２ｂ、・・・との間で内側下方に向かう湾曲した通気路が形成されている。
【００２６】
このような、外ルーバカバー２１および内ルーバカバー２２を重ねて配置することで、ルーバ部２０の通気抵抗を増すことができ、風雨の勢いを弱めて、雨水がルーバ内部に吹き込むのを効果的に防止することができる。特に内ルーバカバー２２を設けたことにより、内ルーバ２２ａ内の水が下方に落ち、フィルタ３０に水が染み込むのを効果的に防止することができる。
【００２７】
外ルーバカバー２１および内ルーバカバー２２は、外側からネジ６１によりケース部４０に取り付けられる。ただし、ルーバの取付法は限定されず、例えば係止爪等で嵌め込んでもよいし、ケース部４０の内側からネジ止めしてもよい。
【００２８】
フィルタ３０を保持するケース部４０は、電気機器収納用箱の筐体に取り付けられる。ケース部４０は、フィルタ３０を収容できるように概ね四角形の枠状体であり、フィルタ３０が着脱可能なように枠の前後が開放している。フィルタ３０は、前方（外側）においては内ルーバカバー２２により、後方（筐体側）においてはリテイナー５０の抑え片５１により挟持されて、フィルタ３０が脱落しないようにケース部４０内に保持されている。
【００２９】
リテイナー５０は、ケース部４０の後方からネジ６２で固定される。このとき、抑え片５１は、ケース部４０の開口部から出ないように折り曲げられている。これによりフィルタ３０が、抑え片５１で前方に押し付けられた状態でケース部４０内に保持される。図２では、ケース部４０の開口部の左右２箇所の抑え片５１、５１で前方のルーバ部２０に向けてフィルタ３０を押さえ付けているが、抑え片５１の位置や数には特に制限はない。例えば、ケース部４０の開口部の上下２箇所に抑え片５１、５１を形成してもよいし、開口部の上下左右４箇所の抑え片５１、５１、・・・でフィルタ３０を前方に押圧してもよい。
【００３０】
図５に、本発明の一実施形態によるフィルタ３０を示す。フィルタ３０は一定の厚みを有する例えば四角形の直方体であり、その周縁部を囲むようにパッキン部材３２が配置される。また、パッキン部材３２の左右端部から前方外側（つまりルーバ部２０側）に向けて突出するようにパッキン部材３１が配置されている。これらパッキン部材３１、３２は、同一素材で一体に形成してもよいし、接着材等で貼り付けて一体化してもよい。
【００３１】
パッキン部材３１、３２は、フィルタ３０よりも防塵性が高い素材が採用される。またパッキン部材３１、３２の素材は、フィルタ３０よりも弾性率が高く透水性が小さい（非浸入性又は防水性が高い）。具体的には、例えばスポンジまたはゴムでパッキン部材３１、３２を形成することができる。また、パッキン部材３１、３２は通気性を有するもの好ましく、通気性能を犠牲にすることがない。ここで、防塵性が高い素材とは、素材の開口率が低いもので、塵埃を捕捉し通過させないことで防塵性が高められたフィルタ素材をいう。同様に透水性が小さい素材とは、素材の開口率が低いもので、水を通過させない素材をいう。そのため、パッキン部材３１、３２はフィルタ３０よりも開口率が低いものを採用することが好ましい。
【００３２】
図４に示すように、フィルタ３０は、垂直に立てた状態でケース部４０に保持される。パッキン部材３２とケース部４０との密着性を得るため、フィルタ３０にパッキン部材３２を貼り付けたフィルタ全体の幅がケース部４０の開口部よりも若干幅広であることが好ましい。
【００３３】
また、換気装置１０において、フィルタ３０の外側に設けられるルーバ部２０（正確には内ルーバカバー２２）の一部をパッキン部材３１に押し付けられて当接している。弾力性のあるパッキン部材３１がルーバ部２０に当接することで、防塵防水性を維持しつつ、フィルタ３０の変形やつぶれ等を防止することができる。
【００３４】
また、パッキン部材３２のうち少なくとも下枠部は、フィルタ３０の下枠部後方（内側）の下部を覆う止水部３３が形成されている。止水部３３は、パッキン部材３２と同程度またはそれ以上の非浸水性を有することが好ましい。
【００３５】
フィルタ３０が水を含むと、その水は自重でフィルタ繊維を伝わり下方に流れる。止水部３３がフィルタ３０後面の通気領域の少なくとも一部まで延びることで、フィルタ３０に含まれる水を堰き止め、水がケース部４０の開口から電気機器収納箱の筐体内に浸入するのを防止している。
【００３６】
また、パッキン部材３２の下枠部は、フィルタ３０の厚さよりも薄い幅狭に形成されている。これにより、パッキン部材３２の下枠部前方（外側）に間隙（フィルタ３０とパッキン部材３２とが重なっていない部分）が生じ、その間隙にフィルタ３０に含んだ水を流すことができる。特に本実施形態では、パッキン部材３２の下枠部後方（内側）に止水部３３を設けているので、その反対側である幅狭部前の間隙に水を効率よく導くことができ、これによりフィルタ３０の水捌け性を得ている。
【００３７】
このように、本実施形態のフィルタ付換気装置１０は、フィルタ３０の周縁部を囲むように防塵性の高いパッキン部材３１、３２が配置されている。パッキン部材３１、３２をケース部４０に密着させた状態でフィルタ３０を保持することで、フィルタをケース部に密着させて高い防塵性能を確保することができる。
【符号の説明】
【００３８】
１０  フィルタ付換気装置
２０  ルーバ部
２１  外ルーバカバー
２１ａ  外ルーバ
２１ｂ  下開口
２２  内ルーバカバー
２２ａ  内ルーバ
２２ｂ  下開口
２３  通気口
３０  フィルタ
３１、３２  パッキン部材
３３  止水部
４０  ケース部
５０  リテイナー
５１  抑え片
６１、６２  ネジ
【図１】
2017166707.tif 000003
【図２】
2017166707.tif 000004
【図３】
2017166707.tif 000005
【図４】
2017166707.tif 000006
【図５】
2017166707.tif 000007